(57)【要約】【課題】エンジンと、ホースを着脱可能に接続し得るケーシングを有する流体ポンプが、それぞれの回転軸を連結した状態で枠組構造のフレームに支持される可搬式エンジンポンプにおいて、メンテナンス作業を容易としつつエンジンおよび流体ポンプを上方から保護可能とし、しかも重量バランスの変化に容易に対処しつつ容易に持ち運び可能とする。【解決手段】フレーム１１は、回転軸線方向に並列配置されるエンジンＥおよび流体ポンプＰの下部両側方でエンジンＥおよび流体ポンプＰの配列方向に沿って横方向に延びる一対の下部フレーム部１１ａと、両下部フレーム部１１ａの両端からそれぞれ上方に立ち上がる４つの縦フレーム部１１ｂと、エンジンＥおよび流体ポンプＰの両側に配置されて対をなす２組の縦フレーム部１１ｂ間を連結する一対の上部フレーム部１１ｃと、携帯用ハンドルを兼用するようにして両上部フレーム部１１ｃの中央部間を連結する保護フレーム部１１ｄとを備え、エンジンＥおよび流体ポンプＰは、両下部フレーム部１１ａ間に支持される。【選択図】        図４
2005054659.tif 000002
【特許請求の範囲】
【請求項１】
エンジン（Ｅ）と、ホース（２１，２２）を着脱可能に接続し得る吸入側接続管（１９）および吐出側接続管（２０）が設けられるケーシング（１６）を有する流体ポンプ（Ｐ）が、それぞれの回転軸（１５，１７）を連結した状態で枠組構造のフレーム（１１）に支持される可搬式エンジンポンプにおいて、前記フレーム（１１）は、回転軸線方向に並列配置される前記エンジン（Ｅ）および前記流体ポンプ（Ｐ）の下部両側方でエンジン（Ｅ）および流体ポンプ（Ｐ）の配列方向に沿って横方向に延びる一対の下部フレーム部（１１ａ）と、両下部フレーム部（１１ａ）の両端からそれぞれ上方に立ち上がる４つの縦フレーム部（１１ｂ）と、前記エンジン（Ｅ）および流体ポンプ（Ｐ）の両側に配置されて対をなす２組の前記縦フレーム部（１１ｂ）間を連結する一対の上部フレーム部（１１ｃ）と、携帯用ハンドルを兼用するようにして前記両上部フレーム部（１１ｃ）の中央部間を連結する保護フレーム部（１１ｄ）とを備え、前記エンジン（Ｅ）および前記流体ポンプ（Ｐ）は、前記両下部フレーム部（１１ａ）間に支持されることを特徴とする可搬式エンジンポンプ。
【請求項２】
前記エンジン（Ｅ）の上方には、燃料タンク（１２）、エアクリーナ（１３）および排気マフラー（１４）が配置され、前記燃料タンク（１２）の給油口（３０）が平面視で前記保護フレーム部（１１ｄ）の一側に配置され、エアクリーナ（１３）および排気マフラー（１４）は平面視で前記保護フレーム部（１１ｄ）の他側に配置されることを特徴とする請求項１記載の可搬式エンジンポンプ。
【請求項３】
前記ケーシング（１６）の上部に、平面視で前記保護フレーム部（１１ｄ）の一側に配置されるようにして呼び水注水口（３３）が設けられることを特徴とする請求項２記載の可搬式エンジンポンプ。
【請求項４】
前記流体ポンプ（Ｐ）の回転軸（１７）は前記エンジン（Ｅ）に直結されており、平面視で前記保護フレーム部（１１ｄ）は前記回転軸（１７）と平行に配置されることを特徴とする請求項１〜３のいずれかに記載の可搬式エンジンポンプ。
【発明の詳細な説明】
【技術分野】
【０００１】
本発明は、エンジンと、ホースを着脱可能に接続し得る吸入側接続管および吐出側接続管が設けられるケーシングを有する流体ポンプが、それぞれの回転軸を連結した状態で枠組構造のフレームに支持されるエンジンポンプに関し、特に、作業者が手で持ち上げて移動せしめる作業を容易とした比較的小型の可搬式エンジンポンプに関する。
【背景技術】
【０００２】
エンジンと、該エンジンで駆動される流体ポンプとがフレームに支持されて成る可搬式エンジンポンプは、たとえば農業における灌漑用とか、魚の養殖場等いろいろな分野で広く用いられている。
【０００３】
この種の可搬式エンジンポンプにおいて、装置全体を枠組構造のフレームで保護する必要がある場合には、たとえば特許文献１では、フレームが直方体形状に構成されており、また特許文献２では、エンジンおよび流体ポンプの両側に配置されて側面視で四角形状に形成される一対の側部フレームが、それらの側部フレームの下部間を底板で連結されるとともに前記両側部フレームの上部間が補強兼携帯把持部を形成するようにして連結されることでフレーム全体が構成され、前記底板上に前記エンジンおよび流体ポンプが載置支持されている。
【特許文献１】実公平１−３４８００号公報
【特許文献２】実公昭６０−２６２３０号公報
【発明の開示】
【発明が解決しようとする課題】
【０００４】
ところが上記特許文献１で開示されたものでは、小型の割にフレームの構造が複雑化してしまい、またフレームの重量自体の増加が携帯性を損なう要因となってしまう。
【０００５】
また上記特許文献２で開示されたものでは、フレームがその上部に備える補強兼携帯把持部でエンジンおよび流体ポンプを上方から保護することも可能であるが、その反面、上方からのメンテナンス空間が狭められてしまい、メンテナンス作業をし難くなるという問題がある。
【０００６】
さらに流体ポンプのケーシングに設けられている吸入口および吐出口には長いホースがそれぞれ接続されることになるのであるが、ホースが接続されている状態と、接続されていない状態とでは携帯把持部に加わる重量のバランスの変化が大きく、特に、ホースを接続した状態では可搬式エンジンポンプをわずかな距離だけ移動するのでも作業者が苦労することになる。
【０００７】
本発明は、かかる事情に鑑みてなされたものであり、メンテナンス作業を容易としつつエンジンおよび流体ポンプを上方から保護可能とし、しかも重量バランスの変化に容易に対処しつつ容易に持ち運び可能とした可搬式エンジンポンプを提供することを目的とする。
【課題を解決するための手段】
【０００８】
上記目的を達成するために、請求項１記載の発明は、エンジンと、ホースを着脱可能に接続し得る吸入側接続管および吐出側接続管が設けられるケーシングを有する流体ポンプが、それぞれの回転軸を連結した状態で枠組構造のフレームに支持される可搬式エンジンポンプにおいて、前記フレームは、回転軸線方向に並列配置される前記エンジンおよび前記流体ポンプの下部両側方でエンジンおよび流体ポンプの配列方向に沿って横方向に延びる一対の下部フレーム部と、両下部フレーム部の両端からそれぞれ上方に立ち上がる４つの縦フレーム部と、前記エンジンおよび流体ポンプの両側に配置されて対をなす２組の前記縦フレーム部間を連結する一対の上部フレーム部と、携帯用ハンドルを兼用するようにして前記両上部フレーム部の中央部間を連結する保護フレーム部とを備え、前記エンジンおよび前記流体ポンプは、前記両下部フレーム部間に支持されることを特徴とする。
【０００９】
また請求項２記載の発明は、上記請求項１記載の発明の構成に加えて、前記エンジンの上方には、燃料タンク、エアクリーナおよび排気マフラーが配置され、前記燃料タンクの給油口が平面視で前記保護フレーム部の一側に配置され、エアクリーナおよび排気マフラーは平面視で前記保護フレーム部の他側に配置されることを特徴とする。
【００１０】
請求項３記載の発明は、上記請求項２記載の発明の構成に加えて、前記ケーシングの上部に、平面視で前記保護フレーム部の一側に配置されるようにして呼び水注水口が設けられることを特徴とする。
【００１１】
さらに請求項４記載の発明は、上記請求項１〜３のいずれかに記載の発明の構成に加えて、前記流体ポンプの回転軸は前記エンジンに直結されており、平面視で前記回転軸と平行に配置されることを特徴とする。
【発明の効果】
【００１２】
上記請求項１記載の発明によれば、一対の下部フレーム部、４つの縦フレーム部、一対の上部フレーム部および単一の保護フレーム部で単純な構造のフレームを構成し、フレームの重量増加を抑えて携帯性を高めることができる。しかも４つの縦フレーム部でエンジンおよび流体ポンプを側方から保護するとともに、一対の上部フレーム部および単一の保護フレーム部により、上方からのメンテナンス空間を狭めることなく、エンジンおよび流体ポンプを上方から保護することができ、メンテナンス作業を容易とすることができる。また携帯用ハンドルを兼用する保護フレーム部は、エンジンおよび流体ポンプの配列方向に沿うものとなるので、流体ポンプにホースが接続されている状態と、接続されていない状態とで保護フレーム部に加わる重量バランスが大きく変化しても、保護フレーム部の長手方向に沿って把持部を変化することで重量バランスの変化に容易に対処することができ、流体ポンプにホースが接続されている状態での持ち上げ位置の調整も容易である。
【００１３】
また上記請求項２記載の発明によれば、エンジンの上方のメンテナンス用空間を、保護フレーム部に邪魔されることなく、エアクリーナおよび排気マフラー側と、燃料タンクの給油口側とに区画して充分に確保することができる。
【００１４】
請求項３記載の発明によれば、燃料タンクの給油口および流体ポンプの呼び水注水口を保護フレーム部に対して同一側に配置することで、メンテナンス部分をより整然と区画することができる。
【００１５】
さらに請求項４記載の発明によれば、エンジンもしくは流体ポンプの大きさが要求仕様の変更により変化した場合でも、重心位置の移動に応じて保護フレーム部の把持位置を変化させることで重量バランスの変化に容易に対処することができる。
【発明を実施するための最良の形態】
【００１６】
以下、本発明の実施の形態を、添付の図面に示した本発明の一実施例に基づいて説明する。
【００１７】
図１〜図４は本発明の一実施例を示すものであり、図１は可搬式エンジンポンプの一部切欠き正面図、図２は図１の２矢視方向から見た一部切欠き側面図、図３は図１の３矢視平面図、図４はフレームの斜視図である。
【００１８】
先ず図１〜図３において、可搬式エンジンポンプは、枠組構造のフレーム１１に、エンジンＥと、該エンジンＥで駆動される流体ポンプとしての水ポンプＰとが支持されて成るものであり、エンジンＥに供給するための燃料を貯留する燃料タンク１２と、エンジンＥに供給される空気を浄化するためのエアクリーナ１３と、エンジンＥからの排ガス排出に伴う排気騒音を低減するための排気マフラー１４とがエンジンＥの上方に配置される。
【００１９】
エンジンＥは、該エンジンＥが備える回転軸すなわちクランクシャフト１５（図１および図３においてクランクシャフトの軸線のみを示す）の軸線を水平とするとともにシリンダ軸線を傾斜させて配置されるものであり、その回転軸線すなわち前記クランクシャフト１５の軸線に沿う方向でエンジンＥおよび水ポンプＰのケーシング１６が並列配置され、ケーシング１６で回転自在に支承された水ポンプＰの回転軸１７（図１および図３において回転軸の軸線のみを示す）は、エンジンＥの前記クランクシャフト１５に直結される。また水ポンプＰと反対側でエンジンＥには、前記クランクシャフの他端に連結可能なプーリを備えるリコイルスタータ１８が装着される。
【００２０】
前記エンジンＥと反対側で水ポンプＰのケーシング１６には吸入側接続管１９が設けられており、この吸入側接続管１９にはホース２１を着脱可能に接続することができる。またケーシング１６の上部には、上方から前方側に屈曲するようにして略Ｌ字状に形成された吐出側接続管２０が設けられ、この吐出側接続管２０にはホース２２を着脱可能に接続することができる。
【００２１】
図４を併せて参照して、フレーム１１は、前記エンジンＥおよび前記水ポンプＰの下部両側方でエンジンＥおよび水ポンプＰの配列方向に沿って横方向に延びる一対の下部フレーム部１１ａ，１１ａと、両下部フレーム部１１ａ，１１ａの両端からそれぞれ上方に立ち上がる４つの縦フレーム部１１ｂ，１１ｂ…と、エンジンＥおよび水ポンプＰの両側に配置されて対をなす２組の前記縦フレーム部１１ｂ，１１ｂ；１１ｂ，１１ｂ間を連結する一対の上部フレーム部１１ｃ，１１ｃと、携帯用ハンドルを兼用するようにして両上部フレーム部１１ｃ，１１ｃの中央部間を平面視で前記水ポンプＰの回転軸１７と平行になるようにして連結する保護フレーム部１１ｄとを一体に備え、複数のパイプ部材により構成される。
【００２２】
しかも前記フレーム１１のうち、下部フレーム部１１ａと、該下部フレーム部１１ａの両端に連設される一対の縦フレーム部１１ｂ，１１ｂと、両縦フレーム部１１ｂ，１１ｂ間を結ぶ上部フレーム部１１ｃとは、下部フレーム部１１ａの両端および各縦フレーム部１１ｂ…の連設部、ならびに各縦フレーム部１１ｂ…および上部フレーム部１１ｃの連設部に対応する部分が丸みを帯びて屈曲するように、円筒状のパイプ部材を含む１もしくは複数のパイプ部材を、同軸に溶接することで略四角形をなすように構成される。
【００２３】
前記フレーム１１のうち一対の前記下部フレーム部１１ａ…間には、それらの下部フレーム部１１ａ…の長手方向に沿って配列される前記エンジンＥおよび前記水ポンプＰに個別に対応した一対の支持部材２３，２３が架設される。しかも両支持部材２３…の両端部には、弾性材から成る脚部材２４，２４…がそれぞれ固着されており、それらの脚部材２４，２４…は、両支持部材２３…を接地面から浮かせるようにして接地する。
【００２４】
一方の前記支持部材２３上には、エンジンＥのクランクケース２５に設けられた一対の取付け脚部２５ａ…がボルト２６…およびナット２７…により取付られ、他方の前記支持部材２３上には、水ポンプＰのケーシング１６に設けられた一対の取付け脚部１６ａ，１６ａがボルト２８…およびナット２９…により取付けられる。すなわちエンジンＥおよび水ポンプＰは、フレーム１１における両下部フレーム１１ａ，１１ａ間に支持される。
【００２５】
燃料タンク１２は、前記エンジンＥにおけるクランクケース２５の上部で支持されるようにしてエンジンＥの上方に配置されており、この燃料タンク１２の上部には、フィラーキャップ３１で開閉可能に閉じられる給油口３０が設けられ、この給油口３０は、平面視で前記フレーム１１における保護フレーム部１１ｄの一側に配置される。
【００２６】
一方、エアクリーナ１３および排気マフラー１４は、エンジンＥにおけるシリンダヘッド３２の上方に配置されるものであり、平面視では、前記フレーム１１における保護フレーム部１１ｄの他側に前記エアクリーナ１３および排気マフラー１４が配置される。
【００２７】
ところで、水ポンプＰにおけるケーシング１６の上部には、前記吐出側接続管２０の中間部に開口するようにして呼び水注水口３３が設けられ、この呼び水注水口３３はキャップ３４で開閉可能に閉じられるのであるが、平面視で前記フレーム１１における保護フレーム部１１ｄの一側すなわち燃料タンク１２の給油口３０側に呼び水注水口３３が配置される。
【００２８】
次にこの実施例の作用について説明すると、フレーム１１は、回転軸線方向に並列配置されるエンジンＥおよび水ポンプＰの下部両側方でエンジンＥおよび水ポンプＰの配列方向に沿って横方向に延びる一対の下部フレーム部１１ａ，１１ａと、両下部フレーム部１１ａ，１１ａの両端からそれぞれ上方に立ち上がる４つの縦フレーム部１１ｂ，１１ｂ…と、エンジンＥおよび水ポンプＰの両側に配置されて対をなす２組の前記縦フレーム部１１ｂ，１１ｂ…間を連結する一対の上部フレーム部１１ｃ，１１ｃと、携帯用ハンドルを兼用するようにして両上部フレーム部１１ｃ，１１ｃの中央部間を連結する保護フレーム部１１ｄとを備えるものであり、エンジンＥおよび水ポンプＰは、両下部フレーム部１１ａ，１１ａ間に支持されている。
【００２９】
したがってフレーム１１は、一対の下部フレーム部１１ａ，１１ａ、４つの縦フレーム部１１ｂ，１１ｂ…、一対の上部フレーム部１１ｃ，１１ｃおよび単一の保護フレーム部１１ｄで単純な構造に構成されることになり、フレーム１１の重量増加を抑えて携帯性を高めることができる。
【００３０】
しかも４つの縦フレーム部１１ｂ，１１ｂ…でエンジンＥおよび水ポンプＰを側方から保護するとともに、一対の上部フレーム部１１ｃ，１１ｃおよび単一の保護フレーム部１１ｄにより、上方からのメンテナンス空間を狭めることなく、エンジンＥおよび水ポンプＰを上方から保護することができ、メンテナンス作業を容易とすることができる。
【００３１】
また携帯用ハンドルを兼用する保護フレーム部１１ｄは、エンジンＥおよび水ポンプＰの配列方向に沿うものとなるので、水ポンプＰにホース２１，２２が接続されている状態と、接続されていない状態とで保護フレーム部１１ｄに加わる重量バランスが大きく変化しても、保護フレーム部１１ｄの長手方向に沿って把持部を変化することで重量バランスの変化に容易に対処することができ、水ポンプＰにホース２１，２２が接続されている状態での持ち上げ位置の調整も容易である。
【００３２】
またエンジンＥの上方には、燃料タンク１２、エアクリーナ１３および排気マフラー１４が配置されており、燃料タンク１２の給油口３０が平面視で保護フレーム部１１ｄの一側に配置されるのに対し、エアクリーナ１３および排気マフラー１４は平面視で保護フレーム部１１ｄの他側に配置されるので、エンジンＥの上方のメンテナンス用空間を、保護フレーム部１１ｄに邪魔されることなく、エアクリーナ１３および排気マフラー１４側と、燃料タンク１２の給油口３０側とに区画して充分に確保することができる。
【００３３】
しかも水ポンプＰにおけるケーシング１６の上部に、平面視で前記保護フレーム部１１ｄの一側に配置されるようにして呼び水注水口３３が設けられるので、燃料タンク１２の給油口３０および水ポンプＰの呼び水注水口３０を保護フレーム部１１ｄに対して同一側に配置することで、メンテナンス部分をより整然と区画することができる。
【００３４】
さらに水ポンプＰの回転軸１７はエンジンＥに直結されており、平面視で前記保護フレーム部１１ｄは前記回転軸１７と平行に配置されるので、エンジンＥもしくは水ポンプＰの大きさが要求仕様の変更により変化した場合でも、重心位置の移動に応じて保護フレーム部１１ｄの把持位置を変化させることで重量バランスの変化に容易に対処することができる。  
【００３５】
以上、本発明の実施例を説明したが、本発明は上記実施例に限定されるものではなく、特許請求の範囲に記載された本発明を逸脱することなく種々の設計変更を行うことが可能である。
【図面の簡単な説明】
【００３６】
【図１】可搬式エンジンポンプの一部切欠き正面図である。
【図２】図１の２矢視方向から見た一部切欠き側面図である。
【図３】図１の３矢視平面図である。
【図４】フレームの斜視図である。
【符号の説明】
【００３７】
１１・・・フレーム
１１ａ・・・下部フレーム部
１１ｂ・・・縦フレーム部
１１ｃ・・・上部フレーム部
１１ｄ・・・保護フレーム部
１２・・・燃料タンク
１３・・・エアクリーナ
１４・・・排気マフラー
１５・・・回転軸としてのクランクシャフト
１６・・・ケーシング
１７・・・回転軸
１９・・・吸入側接続管
２０・・・吐出側接続管
２１，２２・・・ホース
３０・・・給油口
３３・・・呼び水注水口
Ｅ・・・エンジン
Ｐ・・・流体ポンプとしての水ポンプ
【図１】
2005054659.tif 000003
【図２】
2005054659.tif 000004
【図３】
2005054659.tif 000005
【図４】
2005054659.tif 000006